(57)【特許請求の範囲】
【請求項１】
上方が開口した凹部の底面に第１固定接点とその第１固定接点を中心とした点対称の外側位置に第２固定接点が配され、上記第１および第２固定接点に各々繋がって外方へ導出された第１および第２端子を備えた絶縁樹脂製のケースと、上記第１固定接点と上記第２固定接点との間を接離させる可動接点とを備えたプッシュオンスイッチであって、上記第１固定接点が、ケースの外方へ導出されるまでの中間部分は、上記第１固定接点の外方近傍で下方に曲げられ、その下面が上記ケースの底面位置と同一高さの平坦部となされて上記ケースの装着面となる底面に露出し、その高さ位置で延出された先端部がＴ字に分岐され、その分岐された途中でそれぞれ上方に曲げられ、更に上記ケースの端部近傍位置に対応する部分で、上記第１端子の導出高さ位置に合わせて曲げられて上記第１端子に繋がっており、上記第２固定接点側は、各々の上記第２固定接点から伸ばされた部分がその先端側でそれぞれＴ字型に分岐されて、そのＴ字型の一方側どうしが連結され、上記Ｔ字型の他方側部分は、上記ケースの端部近傍位置に対応する部分で、上記第２端子の導出高さ位置に合わせて曲げられて上記第２端子に繋がっているプッシュオンスイッチ。
【請求項２】
第２固定接点側において、各々の上記第２固定接点から伸ばされた部分がそれぞれＴ字型に分岐され、少なくともそのＴ字型の一方側どうしの連結された間の部分が、下方に曲げ下ろされて位置され、その下面がケースの底面位置と同一高さの平坦部となされて、上記ケースの装着面となる底面に露出している請求項１記載のプッシュオンスイッチ。
【請求項３】
ケースの開口部を絶縁シートで覆うと共に、上面周辺部の内端から延設された繋ぎ部を介して中央部分に操作部が設けられている弾性金属薄板製のカバーを上記絶縁シート上に配し、上記カバーの上面周辺部と上記ケース上面とで上記絶縁シートを挟持し、その操作部を可動接点の押圧中心位置に対応させた請求項１記載のプッシュオンスイッチ。
【請求項４】
カバーの操作部に、下方への窪みを設けた請求項３記載のプッシュオンスイッチ。
【請求項５】
ケースの上面角部が、上記ケースの角部を除く上面高さ位置よりも段差を持たされて低く形成されると共に、カバーの上面周辺部の角部を上記段差に適合する形状に形成したものとし、上記ケースの上面角部に設けた突起を上記カバーの上面周辺部の角部に設けた孔部内に挿通させてカシメ固定し、そのカシメ高さを、上記カバーの上面周辺部と同等高さかそれよりも低くした請求項３記載のプッシュオンスイッチ。
【請求項６】
カバーの操作部が、等間隔に配された複数の繋ぎ部により上面周辺部と繋がれている請求項３記載のプッシュオンスイッチ。
【請求項７】
カバーの繋ぎ部が、湾曲した細帯状となっている請求項３記載のプッシュオンスイッチ。
【発明の詳細な説明】
【０００１】
【発明の属する技術分野】
本発明は、携帯電話やＰＤＡ、デジタルカメラ、携帯用ＡＶ機器等の携帯用を主とした小型電子機器の操作部に使用されるプッシュオンスイッチに関するものである。
【０００２】
【従来の技術】
近年、携帯電話に代表される携帯用の小型電子機器は、機器の多機能化と共に更なる小型、軽量、薄型化が求められており、それらの機器に用いられる機能部品に対しても同様な要望が強くされるようになっている。
【０００３】
このような従来の機能部品としてのプッシュオンスイッチについて、図１０〜図１２を用いて説明する。
【０００４】
図１０は従来のプッシュオンスイッチの正面断面図、図１１は同分解斜視図、図１２は同要部である中央固定接点の固定状態を示す断面図であり、同図において、１は上面開口の凹部を有する絶縁樹脂からなる箱型のケースで、その凹部の内底面には、中央固定接点２およびこれを挟む点対称位置に各々外側固定接点３が設けられている。
【０００５】
この各固定接点２および３は、ケース１外方に突出した第１端子４および第２端子５に各々繋がっている。
【０００６】
そして、この一端側が中央固定接点２となった第１端子４、および一端側が外側固定接点３となった第２端子５は、各々導電金属板を打ち抜き、折り曲げして形成されると共に、両者はケース１にインサート成形されることによって固定されている。
【０００７】
このとき、中央固定接点２と第１端子４との中間部分６、外側固定接点３と第２端子５との中間部分７は、各々上下左右の全面を、上記ケース１を構成する絶縁樹脂で完全に囲まれるようにしてケース１内に埋め込まれている。
【０００８】
そして、ケース１の凹部の内底面に表出状態で固定されている外側固定接点３上には、弾性金属薄板からなるドーム状の可動接点８の外周下端部８Ａが載せられ、この可動接点８はケース１凹部内に位置決め収容されている。
【０００９】
上記収容状態で可動接点８の中央部８Ｂ下面は、凹部の内底面に表出状態に固定された中央固定接点２と離間状態で対向している。
【００１０】
また、中央固定接点２からの中間部分６は、図１２に示すように、中央固定接点２側からみて、中央固定接点２の外方近傍で下方に向けて折り曲げられてケース１の樹脂内に埋没されて上下左右の全面をケース１の樹脂で覆われる水平部６Ａに繋がって延出され、第１端子４として導出されている。
【００１１】
この水平部６Ａが配された箇所は、可動接点８の外周下端部８Ａの位置に対応しているが、上記説明のように水平部６Ａはケース１の凹部下部を構成する樹脂内に埋設されているため、上記可動接点８が、中央固定接点２の中間部分６に当接することはない。
【００１２】
そして、上記ケース１の開口部は、ケース１上面に装着された可撓性を有する絶縁シート９により覆われている。
【００１３】
次に、以上のように構成された従来のプッシュオンスイッチの動作を説明するが、絶縁シート９を介してドーム状の可動接点８の中央部８Ｂを押し下げると、可動接点８のドーム状部分が節度を伴って反転し、その中央部８Ｂ下面が中央固定接点２に接触する。
【００１４】
このとき可動接点８を介して外側固定接点３と中央固定接点２との間が導通し、各々の固定接点３と２に繋がっている第２端子５と第１端子４間が導通したスイッチオン状態となる。
【００１５】
そして、上記の操作力を除くと、可動接点８が自らの弾性復元力により、上方に凸状態の元のドーム形状に戻り、中央部８Ｂ下面が中央固定接点２から離れることにより、第１端子４と第２端子５が電気的に分離したスイッチオフ状態となるものであった。
【００１６】
【発明が解決しようとする課題】
しかしながら上記従来のプッシュオンスイッチにおいては、ケース１に対し、中央固定接点２と第１端子４との中間部分６、および外側固定接点３と第２端子５との中間部分７の上下左右の全面を、ケース１内に完全に絶縁樹脂で覆い込む構成であり、図１２に示すように、ケース１の凹部の下部に埋め込まれた中間部分６と７の上下にも、各々樹脂が成形不良にならないような厚み寸法を取らなければならず、また、特に中央固定接点２と第１端子４との中間部分６における水平部６Ａが可動接点８と接触しないように、その当該位置は完全に覆い込まなければならず、樹脂の成形技術が進歩するに伴って、必要な樹脂の最低厚みは徐々に薄くはなってきたが、凹部の内底面からケース１の底面までの厚さを低減するには限界があり、このようなケース１を有するプッシュオンスイッチの薄型化の大きな阻害要因となっていた。
【００１７】
本発明は、このような従来の課題を解決するものであり、ケースの凹部の下部に、固定接点と端子との間の中間部分が固定されているにも拘わらず、成形性が良く、固定強度も良好で、従来のケースよりも薄い厚みのケースを有するプッシュオンスイッチを提供することを目的とする。
【００１８】
【課題を解決するための手段】
上記目的を達成するために本発明は、以下の構成を有するものである。
【００１９】
本発明の請求項１に記載の発明は、上方が開口した凹部の底面に第１固定接点とその第１固定接点を中心とした点対称の外側位置に第２固定接点が配され、上記第１および第２固定接点に各々繋がって外方へ導出された第１および第２端子を備えた絶縁樹脂製のケースと、上記第１固定接点と上記第２固定接点との間を接離させる可動接点とを備えたプッシュオンスイッチであって、上記第１固定接点が、ケースの外方へ導出されるまでの中間部分は、上記第１固定接点の外方近傍で下方に曲げられ、その下面が上記ケースの底面位置と同一高さの平坦部となされて上記ケースの装着面となる底面に露出し、その高さ位置で延出された先端部がＴ字に分岐され、その分岐された途中でそれぞれ上方に曲げられ、更に上記ケースの端部近傍位置に対応する部分で、上記第１端子の導出高さ位置に合わせて曲げられて上記第１端子に繋がっており、上記第２固定接点側は、各々の上記第２固定接点から伸ばされた部分がその先端側でそれぞれＴ字型に分岐されて、そのＴ字型の一方側どうしが連結され、上記Ｔ字型の他方側部分は、上記ケースの端部近傍位置に対応する部分で、上記第２端子の導出高さ位置に合わせて曲げられて上記第２端子に繋がっているプッシュオンスイッチとしたものであり、凹部の下部に対応する固定接点と端子との中間部分をケース底面に露出させるようにしたので、成形不良なく、その中間部分の下方部分を覆う樹脂の厚み分のケースの薄型化が図れて、全体の高さ寸法の低い薄形のプッシュオンスイッチにできるという作用を有する。
【００２０】
請求項２に記載の発明は、請求項１記載の発明において、第２固定接点側において、各々の上記第２固定接点から伸ばされた部分がそれぞれＴ字型に分岐され、少なくともそのＴ字型の一方側どうしの連結された間の部分が、下方に曲げ下ろされて位置され、その下面がケースの底面位置と同一高さの平坦部となされて、上記ケースの装着面となる底面に露出しているものであり、そのＴ字型の一方側どうしの連結された間をもケースの底面に露出させるようにしたので、第２固定接点側においても第１固定接点側と同様に、成形不良なく、かつその中間部分の固定強度も良好なものにできるという作用を有する。
【００２１】
請求項３に記載の発明は、請求項１記載の発明において、ケースの開口部を絶縁シートで覆うと共に、上面周辺部の内端から延設された繋ぎ部を介して中央部分に操作部が設けられている弾性金属薄板製のカバーを上記絶縁シート上に配し、上記カバーの上面周辺部と上記ケース上面とで上記絶縁シートを挟持し、その操作部を可動接点の押圧中心位置に対応させたものであり、弾性金属薄板製のカバーに設けた操作部は、繋ぎ部を介して繋がっているため、駆動部として機能するようにでき、これにより駆動部付きの薄型のプッシュオンスイッチが得られ、そのカバーの操作部を用いて表面実装機で吸着して配線板に自動実装することもできるという作用を有する。
【００２２】
請求項４に記載の発明は、請求項３記載の発明において、カバーの操作部に、下方への窪みを設けたものであり、表面実装機でこのプッシュオンスイッチを吸着する際に、この窪みに嵌合するピンを吸着側に設けてこのスイッチを位置決めできるため、機器の配線板への実装精度が向上されるという作用を有する。
【００２３】
請求項５に記載の発明は、請求項３記載の発明において、ケースの上面角部が、上記ケースの角部を除く上面高さ位置よりも段差を持たされて低く形成されると共に、カバーの上面周辺部の角部を上記段差に適合する形状に形成したものとし、上記ケースの上面角部に設けた突起を上記カバーの上面周辺部の角部に設けた孔部内に挿通させてカシメ固定し、そのカシメ高さを、上記カバーの上面周辺部と同等高さかそれよりも低くしたものであり、カバーを固着するケースの突起のカシメ後の高さがケースの上面以下の高さであるため、そのカシメ部分が、実装時などで邪魔にならず、実装し易いものにできるという作用を有する。
【００２４】
請求項６に記載の発明は、請求項３記載の発明において、カバーの操作部が、等間隔に配された複数の繋ぎ部により上面周辺部と繋がれているものであり、操作部が安定して精度よく保たれると共に、操作部に対する操作力なども繋ぎ部から上面周辺部にバランス良く分散伝達されるという作用を有する。
【００２５】
請求項７に記載の発明は、請求項３記載の発明において、カバーの繋ぎ部が、湾曲した細帯状となっているものであり、繋ぎ部が細くて湾曲した長い寸法のものであるため、操作部に対する操作時における繋ぎ部のばね弾性を抑えることもでき、接点部分の操作感触が直に伝わるものにできるという作用を有する。
【００２６】
【発明の実施の形態】
以下、本発明の実施の形態について、図１〜図９を用いて説明する。
【００２７】
なお、従来の技術の項で説明した構成と同一構成の部分には同一符号を付して、詳細な説明を省略する。
【００２８】
（実施の形態１）
実施の形態１を用いて、本発明の特に請求項１および２記載の発明について説明する。
【００２９】
図１は本発明の第１の実施の形態によるプッシュオンスイッチの底面側からの外観斜視図、図２は同正面断面図、図３は同要部である一体形成された固定接点と端子とのフープ状態を示す図、図４は同要部である中央固定接点の固定状態を示す断面図である。
【００３０】
同図において、１０は上面開口の凹部を有する絶縁樹脂からなる箱型のケースで、そのケース１０の凹部の内底面には、中央固定接点１１およびこれを中心とした点対称の外側位置に外側固定接点１２が表出状態にインサート成形により固定されている。
【００３１】
そして、この各固定接点１１および１２は、ケース１０外方に突出した第１端子１３および第２端子１４と一体に導電性の金属板により形成されている。
【００３２】
そして、ケース１０は、この第１および第２端子１３および１４が各々１つずつ突出状態に並べて配された側面を二面有し、この側面どうしは、一方の対向する面側となっている。
【００３３】
なお、他方の対向する面側となるケース１０の各側面は、端子のない平面状に形成され、第１端子１３どうし、第２端子１４どうしを結ぶ線は、各々上記他方の側面に平行関係となっている。
【００３４】
また、配線板などへの装着面となるケース１０の底面には、中央固定接点１１と第１端子１３との中間部分１５の一部、および外側固定接点１２と第２端子１４との中間部分１６の一部が、露出状態になっている。
【００３５】
そして、上記ケース１０の凹部の内底面に配された外側固定接点１２上には、上方に凸状のドーム形状で外形が円形に形成された可動接点８の外周下端部８Ａが載置されて、その中央部８Ｂが上記中央固定接点１１の上方に所定間隔を空けて対峙するように配されている。
【００３６】
このとき、中央固定接点１１に繋がる中間部分１５上方は、絶縁樹脂により覆われているために可動接点８に接触しないことは従来の技術の場合と同じである（図４参照）。
【００３７】
また、上記ケース１０の上面には、凹部の開口部分を覆うようにして可撓性を有する絶縁シート１７が配されている。
【００３８】
以上の様に本実施の形態によるプッシュオンスイッチは構成されるものであり、その動作は、絶縁シート１７の上方から可動接点８の中央部８Ｂに押下力を加えて可動接点８を反転させることによってスイッチングできるものであり、その動きは従来の技術の場合と同様であるので説明を省略する。
【００３９】
そして、本発明によるプッシュオンスイッチは、ケース１０の装着面となる底面に、各固定接点１１および１２と各端子１３および１４との中間部分１５および１６を露出させた点を大きな特徴とするものであり、以下にその詳細について説明する。
【００４０】
まず、中央固定接点１１と第１端子１３ならびにその中間部分１５は、図３のフープ状態を示す図に示すように、中央固定接点１１から延出された部分が略Ｔ字型に形成され、その両端がケース１０（その外形部分を二点鎖線で示す）外方に突出して第１端子１３となるように構成されている。
【００４１】
そして、この中央固定接点１１からケース１０の外方へ導出されるまでの中間部分１５は、中央固定接点１１の外方近傍の第１曲げ部１５Ａで下方に曲げられ、その下面がケース１０の装着面となる底面と同一高さになっている。
【００４２】
そして、その高さ位置で延出された先端部がＴ字に分岐され、途中の第２曲げ部１５Ｂで、下方に樹脂が流動可能な所定高さ位置になるように上方に曲げられ、更にケース１０の端部近傍位置に対応する部分で、必要な第１端子１３の導出高さ位置に合わせて第３曲げ部１５Ｃで曲げられて第１端子１３に繋がっている。
【００４３】
この第１曲げ部１５Ａから第２曲げ部１５Ｂの間の部分は、その下面がケース１０の底面位置と同一高さの平坦部１５Ｄとなっており、ケース１０底面からは、この平坦部１５Ｄが露出している。
【００４４】
一方、外側固定接点１２と第２端子１４ならびにその中間部分１６は、各々の外側固定接点１２と略同一高さ位置で伸ばされた部分が、それぞれＴ字型に分岐され、そのＴ字の一方側どうしが連結され、他方側が第２端子１４としてケース１０の外方に導出されている（図３参照）。
【００４５】
そして、上記連結されたＴ字の一方側どうしの間は、２つの第１曲げ部１６Ａにより下方に曲げ下ろされ、下面がケース１０の底面位置と同一高さの平坦部１６Ｂとなっている。
【００４６】
また、そのＴ字の他方側部分は、ケース１０の端部近傍位置に対応する部分で、必要な第２端子１４の導出高さ位置に合わせて第２曲げ部１６Ｃで曲げられて第２端子１４に繋がっており、第１および第２端子１３および１４は、高さ位置が合わせられて導出されている。
【００４７】
そして、上記の平坦部１５Ｄおよび１６Ｂは、ケース１０の凹部の下方位置を含むようにして設けられている。
【００４８】
つまり、この凹部の内底面からケース１０底面までの厚みは、平坦部１５Ｄまたは１６Ｂの板厚と、この平坦部１５Ｄおよび１６Ｂ上に、ケース１０用の樹脂が流動できる範囲内で厚みが薄く設定された樹脂部分との合計寸法となっており、ケース１０の装着面となる底面に対して凹部の内底面の位置を従来のものよりも下がったものにでき、ケース１０は薄い厚みのものとなっている。
【００４９】
このとき、平坦部１５Ｄおよび１６Ｂは、ケース１０底面に露出しているので、当該部分および凹部の下部における成形不良は発生せず、また、図４に示すように、中央固定接点１１からの平坦部１５Ｄの上面は、樹脂で覆われるため、可動接点８の外周下端部８Ａとの絶縁性も確保できる。
【００５０】
また、上述のように凹部の下部の厚みは、平坦部１５Ｄおよび１６Ｂの板厚と、その上の樹脂部分との合計寸法であるため、中央固定接点１１および外側固定接点１２、外側固定接点１２から伸ばされた部分は、凹部の内底面において表出しているが、その下方には樹脂が流動して確実に覆うようにできる。
【００５１】
また、上記のように上下方向で部分的に上方のみまたは下方のみが樹脂で覆われる中間部分１５および１６、その側方部分などでは樹脂が互いに連結されている状態になるため、成形性はよく、かつその中間部分１５および１６などの固定強度は良好なものとなる。
【００５２】
なお、各固定接点１１および１２の端部に、下方に向かう傾斜部を設けて埋め込むようにすると、各固定接点１１および１２の剥離や浮きが生じたりすることが低減されるが、当該部分もケース１０の凹部内に位置するため、この場合には、上記傾斜部の寸法を考慮した凹部の下部の樹脂厚さに設定することが肝要である。
【００５３】
このように、本発明によるプッシュオンスイッチは、高さ寸法に大きく影響するケース１０を薄く構成することができるため、全体の高さ寸法の小さい薄型のものにできる。
【００５４】
そして、本プッシュオンスイッチは、ケース１０の装着面となる底面に平坦部１５Ｄおよび平坦部１６Ｂが各々露出しているため、これを配するための配線板においては、配線パターンを逃がすように設定しても良いし、または、上記平坦部１５Ｄおよび平坦部１６Ｂを端子１３および１４の代わりにしてもよい。
【００５５】
すなわち、第１端子１３、第２端子１４をダミーパターンなどに機械的に接続させてケース１０の装着面となる底面を配線板面に密着させ、平坦部１５Ｄおよび平坦部１６Ｂと、その各々に対応する位置に設けられた信号パターン間に導電性接着剤を介在させて電気的接続するようにしてもよい。
【００５６】
更に、本構成のプッシュオンスイッチは、上記に説明した構成以外に、図５の固定接点と端子とのフープ状態を示す図になるように、上記外側固定接点１２と第２端子１４との間に上述の第１曲げ部１６Ａを構成していない中間部分１８となったものとしてもよい。
【００５７】
また、上記タイプ以外のスイッチ構成にも適用してもよく、例えば、図６に示すように、ドーム状の可動接点８の下方に第１固定接点１９Ａおよび第２固定接点１９Ｂが内包状態で固定され、これらの第１固定接点１９Ａと第２固定接点１９Ｂとを可動接点８で短絡させてスイッチングする構成のものなどとしても、ケース１９Ｃの厚みが薄くできるため、全体高さの小さいものにできる。
【００５８】
（実施の形態２）
実施の形態２を用いて、本発明の特に請求項３〜７記載の発明について説明する。
【００５９】
本実施の形態によるプッシュオンスイッチは、実施の形態１によるものに対して、駆動体としての機能を備えたカバーを装着した構成のものであり、実施の形態１の構成と同一構成の部分には同一符号を付して、詳細な説明は省略する。
【００６０】
図７は本発明の第２の実施の形態による外観斜視図、図８は同分解斜視図である。
【００６１】
同図において、２０は、上面開口の凹部を有する絶縁樹脂からなる箱型のケースで、その凹部の内底面には、中央固定接点２１および外側固定接点２２が表出状態に固定されていると共に、これらはケース２０の外方へ導出された第１端子２３および第２端子２４に各々繋がっている。
【００６２】
この中央固定接点２１と第１端子２３、および外側固定接点２２と第２端子２４とは、各々導電性の金属板から一体形成されており、ケース２０にインサート成形によって固定されている。
【００６３】
なお、ケース２０に対する中央固定接点２１と第１端子２３との中間部分、および外側固定接点２２と第２端子２４との中間部分は、実施の形態１によるものと同じ固定状態になっており、その詳細な説明は省略するが、本ケース２０も実施の形態１によるものと同様に厚み寸法が薄く形成されたものとなっている。
【００６４】
そして、円形ドーム状の可動接点８の外周下端部８Ａが上記外側固定接点２２上に載置されて可動接点８が凹部内に収容されていること、更にケース２０の開口部は、可撓性の絶縁シート２５で覆われていることは、実施の形態１と同様であるが、ケース２０は、上面の４箇所の角部２０Ａが、上面位置から段差を持って一段低く形成されており、その低くなった角部２０Ａに柱状のカシメ用の突起２０Ｂがそれぞれ設けられている。
【００６５】
そして、２６は、ケース２０の角部２０Ａ以外の上面に対応するリング状の上面周辺部２６Ｄを有すると共に、上記ケース２０の角部２０Ａに対応する四隅が、上面周辺部２６Ｄよりも一段低い固定部２６Ａに形成された弾性金属薄板製のカバーである。
【００６６】
このカバー２６は、各々の固定部２６Ａに設けられた丸孔２６Ｂに、上記ケース２０の突起２０Ｂがそれぞれ挿通され、この４箇所の突起２０Ｂが潰されることにより、ケース２０上に固着されている。
【００６７】
このとき、絶縁シート２５は、カバー２６の上面周辺部２６Ｄとケース２０の上面とで挟持され、ずれなどが発生しないようになっている。
【００６８】
なお、絶縁シート２５の下面に粘着層を設けると、更に絶縁シート２５の位置ずれなどを少なくできる。
【００６９】
そして、このカバー２６のリング状の上面周辺部２６Ｄの内側からは、二箇所の繋ぎ部２６Ｅが延設され、中央の操作部２６Ｃに繋がっている。
【００７０】
この二箇所の繋ぎ部２６Ｅは、操作部２６Ｃの中心位置に対して対向位置に直線状に配されており、その残部となる上面周辺部２６Ｄと操作部２６Ｃとの間には、対向する円弧状のスリット孔を有する形状になっている。
【００７１】
また、その二箇所の繋ぎ部２６Ｅは、中央側に向けて高くなる傾斜状態で上方側に突出し、操作部２６Ｃには、その高くなった寸法で下方に底面が球状に突出形成された上面視円形の窪み２６Ｆが設けられている。
【００７２】
この窪み２６Ｆの中心位置は、可動接点８の中心位置と、同一軸線上で合わせられている。
【００７３】
なお、中央の操作部２６Ｃは、上記の窪み２６Ｆ以外の部分は、平面状に設けられている。
【００７４】
また、カバー２６を固着するために設けられたケース２０の４箇所の突起２０Ｂは、カシメ後にカバー２６の上面周辺部２６Ｄ上よりも高くならないように潰し加工されている。
【００７５】
以上の様に本実施の形態によるプッシュオンスイッチは構成されており、その動作は、カバー２６の操作部２６Ｃの上方から押し力を加えると、二箇所の繋ぎ部２６Ｅが下方に弾性変形していくと共に操作部２６Ｃが下降していき、操作部２６Ｃの中央部分に設けられた窪み２６Ｆ下面が、可撓性の絶縁シート２５を介して可動接点８の中央部８Ｂの中心位置を押し下げる。
【００７６】
そして、可動接点８の中央部８Ｂに所定の押圧力が加わると、可動接点８のドーム状部分が節度を伴って反転し、中央部８Ｂ下面がケース２０の内底面の中央固定接点２１に接触しスイッチオン状態となる。
【００７７】
なお、このカバー２６の操作部２６Ｃへの押し下げ操作時に、カバー２６を固着しているケース２０の突起２０Ｂのカシメ後の高さは、カバー２６の上面周辺部２６Ｄより高くなっていないので、上記プッシュオンスイッチの操作には何ら支障とならない。
【００７８】
そして、このカバー２６の操作部２６Ｃへの押し力を取り除くと、可動接点８が元のドーム形状に弾性復帰すると共に、カバー２６の繋ぎ部２６Ｅも元の中央側が高くなる傾斜状態に弾性復帰し、この両者の弾性復帰力により、全体として押し力を加える前の状態つまりスイッチオフ状態に復帰する。
【００７９】
このように本実施の形態によるものは、カバー２６の中央部分に繋ぎ部２６Ｅを介して上面周辺部２６Ｄと連設された操作部２６Ｃを一体に設けたので、繋ぎ部２６Ｅの弾性力も加わってスイッチを動作させる駆動部機能を有するものにできて、駆動部付きの薄型のプッシュオンスイッチにすることができる。
【００８０】
そして、この操作部２６Ｃは、対向する二箇所の位置に設けた繋ぎ部２６Ｅで上面周辺部２６Ｄと連結されているため、上面周辺部２６Ｄにバランス良く、かつ位置精度高く繋がれ、スイッチの操作時や搬送時等による操作部２６Ｃの変形も少なくできるものである。
【００８１】
また、操作時においても各々の繋ぎ部２６Ｅに均一に操作力が加わって撓んでいくため、操作部２６Ｃの安定性も良好で、その操作力も繋ぎ部２６Ｅから上面周辺部２６Ｄにバランス良く分散伝達されるものとなる。
【００８２】
また、操作部２６Ｃの中央部に窪み２６Ｆを設け、押圧操作に際して、上記窪み２６Ｆの下面中心位置で、可動接点８の中央部８Ｂの中心位置を確実に押圧できるものであるため、可動接点８の反転・復帰動作が滑らかなものにできてスイッチの操作感触が安定した良好なものにできる。
【００８３】
そして、カバー２６の操作部２６Ｃは、窪み２６Ｆ以外の部分を平板状としているため、本スイッチが使用される機器の配線板への装着に際して、この操作部２６Ｃの平面部分を用いて実装機で吸着して実装することも容易に行うことができ、自動実装にも適したものである。
【００８４】
なお、自動実装機による配線板への装着に際し、上記操作部２６Ｃの中央部に設けた円形の窪み２６Ｆに対応する円形のピンを自動実装機の吸着側に設けるようにすると、吸着時に本スイッチを容易に位置決めすることができ、機器の配線板への実装精度を容易に高めることができる。
【００８５】
なお、上記には、操作部２６Ｃと上面周辺部２６Ｄとが直線状の繋ぎ部２６Ｅで繋がれたカバー２６を有するものを説明したが、図９に示すように、カバー２７の操作部２７Ａと上面周辺部２７Ｂを湾曲した細帯状の繋ぎ部２７Ｃで繋いだものとしても良い。
【００８６】
この場合には、繋ぎ部２７Ｃの長さが長くとれるため、当該部分のばね弾性力が小さくでき、当該部分のスイッチ押圧操作時の操作力への影響が少なくできて、スイッチの操作感触を可動接点８の動作にて得られる感触のもの、すなわち明確な節度感触のものになる。
【００８７】
また、繋ぎ部としては、二つ以上であってもよいが、等角度で操作部と上面周辺部間を連設するものの方が、操作部の安定性などに優れたものとなる。
【００８８】
【発明の効果】
以上のように本発明によれば、固定接点と端子との中間部分が、ケース凹部の下部にインサート成形固定されたものであっても、成形性が良く、固定強度も良好で、全体高さが薄型のプッシュオンスイッチを実現できるという有利な効果が得られる。
【図面の簡単な説明】
【図１】本発明の第１の実施の形態によるプッシュオンスイッチの底面側からの外観斜視図
【図２】同正面断面図
【図３】同要部である一体形成された固定接点と端子とのフープ状態を示す図
【図４】同要部である中央固定接点の固定状態を示す断面図
【図５】同他の構成の要部である一体形成された固定接点と端子とのフープ状態を示す図
【図６】同更なる他の構成のプッシュオンスイッチの正面断面図
【図７】本発明の第２の実施の形態によるプッシュオンスイッチの外観斜視図
【図８】同分解斜視図
【図９】他の形態のカバーを用いたプッシュオンスイッチの平面図
【図１０】従来のプッシュオンスイッチの正面断面図
【図１１】同分解斜視図
【図１２】同要部である中央固定接点の固定状態を示す断面図
【符号の説明】
８  可動接点
８Ａ  外周下端部
８Ｂ  中央部
１０，１９Ｃ，２０  ケース
１１，２１  中央固定接点
１２，２２  外側固定接点
１３，２３  第１端子
１４，２４  第２端子
１５  中央固定接点と第１端子との間の中間部分
１５Ａ  中央固定接点と第１端子との間の第１曲げ部
１５Ｂ  中央固定接点と第１端子との間の第２曲げ部
１５Ｃ  中央固定接点と第１端子との間の第３曲げ部
１５Ｄ  中央固定接点と第１端子との間の平坦部
１６，１８  外側固定接点と第２端子との間の中間部分
１６Ａ  外側固定接点と第２端子との間の第１曲げ部
１６Ｂ  外側固定接点と第２端子との間の平坦部
１６Ｃ  外側固定接点と第２端子との間の第２曲げ部
１７，２５  絶縁シート
１９Ａ  第１固定接点
１９Ｂ  第２固定接点
２０Ａ  角部
２０Ｂ  突起
２６，２７  カバー
２６Ａ  固定部
２６Ｂ  丸孔
２６Ｃ，２７Ａ  操作部
２６Ｄ，２７Ｂ  上面周辺部
２６Ｅ，２７Ｃ  繋ぎ部
２６Ｆ  窪み
【図１】
0004085676.tif 000002
【図２】
0004085676.tif 000003
【図３】
0004085676.tif 000004
【図４】
0004085676.tif 000005
【図５】
0004085676.tif 000006
【図６】
0004085676.tif 000007
【図７】
0004085676.tif 000008
【図８】
0004085676.tif 000009
【図９】
0004085676.tif 000010
【図１０】
0004085676.tif 000011
【図１１】
0004085676.tif 000012
【図１２】
0004085676.tif 000013